(57)【要約】【課題】実際にユーザに入力された文字列を、他人に見られるのを抑制することが可能な技術を提供することを目的とする。【解決手段】表示装置は、ユーザが視認するための第１表示画面１３と、他人に視認させるための第２表示画面１４と、文字の入力操作を受け付ける操作部２と、制御部３とを備える。そして、制御部３は、操作部２に対する入力操作に応じた文字列を第１表示画面１３に表示した場合に、第１表示画面１３に表示される文字列とは異なった文字列を当該入力操作に応答して第２表示画面１４に表示する。【選択図】図１
2010152175.tif 000002
【特許請求の範囲】
【請求項１】
第１および第２表示画面と、
文字の入力操作を受け付ける操作部と、
前記操作部に対する入力操作に応じた文字列を前記第１表示画面に表示した場合に、当該文字列とは異なった文字列を当該入力操作に応答して前記第２表示画面に表示する制御部と
を備える、表示装置。
【請求項２】
請求項１に記載の表示装置であって、
文字列の変換表を記憶する記憶部をさらに備え、
前記制御部は、
前記操作部に対する入力操作に応じた文字列を前記変換表に基づいて他の文字列に変換し、当該他の文字列を前記第２表示画面に表示される文字列として用いる、表示装置。
【請求項３】
請求項１に記載の表示装置であって、
前記第２表示画面に表示される複数種類の文字列を記憶する記憶部をさらに備え、
前記制御部は、
前記操作部に対する入力操作に応じた文字列の文字数に応じて、前記複数種類の文字列を組み合わせて前記第２表示画面に表示する、表示装置。
【請求項４】
請求項１に記載の表示装置であって、
外部からの表示切替操作を検出する検出部をさらに備え、
前記制御部は、
前記検出部で前記表示切替操作を検出した場合に、前記第１表示画面に表示されている文字列を、前記第２表示画面に表示されている文字列に切り替える、表示装置。
【請求項５】
第１および第２表示画面と、
文字の入力操作を受け付ける操作部と、
前記操作部に対する入力操作に応じた文字を前記第１表示画面に表示した場合に、当該文字とは異なった文字を当該入力操作に応答して前記第２表示画面に表示する制御部と
を備える、表示装置。
【請求項６】
請求項５に記載の表示装置であって、
複数の文字を記憶する記憶部をさらに備え、
前記制御部は、前記操作部に対する入力操作に応じた文字を前記第１表示画面に表示した場合に、前記記憶部に記憶された文字のうち所定の文字を前記第２表示画面に表示する、表示装置。
【請求項７】
請求項１または請求項５に記載の表示装置であって、
第１方向からは視認でき、当該第１方向とは異なる第２方向からは視認できない第１部分画面と、前記第１方向からは視認できず前記第２方向からは視認できる第２部分画面とを含む一の表示画面を有する表示部を備え、
前記第１表示画面は、前記第１部分画面であって、
前記第２表示画面は、前記第２部分画面である、表示装置。
【請求項８】
請求項１または請求項５に記載の表示装置であって、
前記制御部は、
前記操作部に対して一文字を入力する操作が行われるたびに、前記第１および第２表示画面に一文字表示する、表示装置。
【請求項９】
請求項１または請求項５に記載の表示装置であって、
前記第１表示画面を有する第１表示部と、
前記第１表示画面と離れて配置される前記第２表示画面を有する第２表示部と
を備える、表示装置。
【請求項１０】
（ａ）文字の入力操作を受け付ける工程と、
（ｂ）前記工程（ａ）での入力操作に応じた文字列を第１表示画面に表示した場合に、当該文字列とは異なった文字列を当該入力操作に応答して第２表示画面に表示する、表示方法。
【発明の詳細な説明】
【技術分野】
【０００１】
本発明は、２つの表示画面を備える表示装置、および、２つの表示画面に対する表示方法に関する。
【背景技術】
【０００２】
従来から表示装置に関して様々な技術が提案されている。特許文献１には、視野角制御機能を設けることにより、ユーザが視認している表示画面が他人により覗き見されるのを防止する表示装置が開示されている。
【０００３】
【特許文献１】特開２００７−２９３０６２号公報
【発明の開示】
【発明が解決しようとする課題】
【０００４】
従来の表示装置において、ユーザが文字列の入力操作をしている場合に、入力された文字を他人に見られる虞がある。例えば、ユーザが文字列の入力操作をしているにも関わらず、視野角制御等を用いて他人に表示画面を見られないようにした場合には、他人は、ユーザがどのような文字列を入力しているのかが気になる場合もある。その結果、他人は、ユーザにより入力された文字列を覗き見しようとする場合もある。
【０００５】
本発明は、上記のような問題点を鑑みてなされたものであり、実際にユーザに入力された文字列を、他人に見られるのを抑制することが可能な技術を提供することを目的とする。
【課題を解決するための手段】
【０００６】
上記課題を解決するため、本発明に係る表示装置は、第１および第２表示画面と、文字の入力操作を受け付ける操作部と、前記操作部に対する入力操作に応じた文字列を前記第１表示画面に表示した場合に、当該文字列とは異なった文字列を当該入力操作に応答して前記第２表示画面に表示する制御部とを備える。
【０００７】
また、本発明に係る表示装置の一態様では、文字列の変換表を記憶する記憶部をさらに備え、前記制御部は、前記操作部に対する入力操作に応じた文字列を前記変換表に基づいて他の文字列に変換し、当該他の文字列を前記第２表示画面に表示される文字列として用いる。
【０００８】
また、本発明に係る表示装置の一態様では、前記第２表示画面に表示される複数種類の文字列を記憶する記憶部をさらに備え、前記制御部は、前記操作部に対する入力操作に応じた文字列の文字数に応じて、前記複数種類の文字列を組み合わせて前記第２表示画面に表示する。
【０００９】
また、本発明に係る表示装置の一態様では、外部からの表示切替操作を検出する検出部をさらに備え、前記制御部は、前記検出部で前記表示切替操作を検出した場合に、前記第１表示画面に表示されている文字列を、前記第２表示画面に表示されている文字列に切り替える。
【００１０】
また、本発明に係る表示装置は、第１および第２表示画面と、文字の入力操作を受け付ける操作部と、前記操作部に対する入力操作に応じた文字を前記第１表示画面に表示した場合に、当該文字とは異なった文字を当該入力操作に応答して前記第２表示画面に表示する制御部とを備える。
【００１１】
また、本発明に係る表示装置の一態様では、複数の文字を記憶する記憶部をさらに備え、前記制御部は、前記操作部に対する入力操作に応じた文字を前記第１表示画面に表示した場合に、前記記憶部に記憶された文字のうち所定の文字を前記第２表示画面に表示する。
【００１２】
また、本発明に係る表示装置の一態様では、第１方向からは視認でき、当該第１方向とは異なる第２方向からは視認できない第１部分画面と、前記第１方向からは視認できず前記第２方向からは視認できる第２部分画面とを含む一の表示画面を有する表示部を備え、前記第１表示画面は、前記第１部分画面であって、前記第２表示画面は、前記第２部分画面である。
【００１３】
また、本発明に係る表示装置の一態様では、前記制御部は、前記操作部に対して一文字を入力する操作が行われるたびに、前記第１および第２表示画面に一文字表示する。
【００１４】
また、本発明に係る表示装置の一態様では、前記第１表示画面を有する第１表示部と、前記第１表示画面と離れて配置される前記第２表示画面を有する第２表示部とを備える。
【００１５】
また、本発明に係る表示方法は、（ａ）文字の入力操作を受け付ける工程と、（ｂ）前記工程（ａ）での入力操作に応じた文字列を第１表示画面に表示した場合に、当該文字列とは異なった文字列を当該入力操作に応答して第２表示画面に表示する。
【発明の効果】
【００１６】
本発明によれば、他人が第２表示画面を見ている場合には、その他人に、ユーザにより入力された文字列を見ていると思わせることができる。
【発明を実施するための最良の形態】
【００１７】
＜実施の形態１＞
図１は、本発明の実施の形態に係る表示装置の構成を示すブロック図である。本実施の形態に係る表示装置は、携帯電話に設けられているものとして説明する。図１に示すように、本実施の形態に係る表示装置は、デュアルビューディスプレイ１と、操作部２と、記憶部３と、制御部４と、検出部５とを備える。
【００１８】
図２は、デュアルビューディスプレイ１の断面図である。表示部であるデュアルビューディスプレイ１は、一の表示画面１１と、視差バリア１２とを備える。表示画面１１は、行列状に設けられた複数の画素１１ａと、複数の画素１１ｂとを備える。本実施の形態では、複数の画素１１ａと、複数の画素１１ｂとは、各行方向において交互に設けられている。視差バリア１２は、表示画面１１全面に設けられる。視差バリア１２は、画素１１ａに揃えて設けられた透明領域１２ａと、画素１１ｂに揃えて設けられた不透明領域１２ｂとから構成される。
【００１９】
複数の画素１１ａから発せられた光は、透明領域１２ａを透過するため、表示画面１１の正面方向にいる観測者Ｘには視認されるが、複数の画素１１ｂから発せられた光は、不透明領域１２ｂで遮られるため、観測者Ｘには視認されない。一方、複数の画素１１ｂから発せられた光は、透明領域１２ａを透過するため、表示画面１１の斜め方向にいる観測者Ｙには視認されるが、複数の画素１１ａから発せられた光は、不透明領域１２ｂで遮られるため、観測者Ｙには視認されない。
【００２０】
その結果、図３に示すように、観測者は、正面方向では、複数の画素１１ａからなる第１表示画面１３をデュアルビューディスプレイ１において観測し、斜め方向では、複数の画素１１ｂからなる第２表示画面１４をデュアルビューディスプレイ１において観測することになる。本実施の形態では、第１表示画面１３は、ユーザが視認するための表示画面であり、第２表示画面１４は、他人に視認させるための表示画面であるものとする。
【００２１】
図１に示される操作部２は、文字の入力操作を受け付ける。本実施の形態に係る操作部２は、携帯電話を操作するためにも用いられる。記憶部３には、後述する文字列Ｂが予め記憶されている。文字列Ｂには、他人に見られても問題のない内容の文字列、例えば、「この休みはどこに行った？」などの日常会話の文字列が該当する。また、本実施の形態に係る記憶部３には、携帯電話で用いられる各種データも記憶する。
【００２２】
制御部４は、デュアルビューディスプレイ１および記憶部３を制御する。本実施の形態に係る制御部４は、携帯電話全体をも制御する。制御部４は、操作部２に対する入力操作に応じた文字列を第１表示画面１３に表示する。以下、操作部２において、「きょう、何時に出社する予定ですか？」という文字列Ａの入力操作が受け付けられた場合について説明する。図４は、デュアルビューディスプレイ１での表示を示す図である。図４（ａ）および図４（ｃ）は、第１表示画面１３の表示を示す図であり、図４（ｂ）および図４（ｄ）は、第２表示画面１４の表示を示す図である。
【００２３】
図４（ａ）および図４（ｃ）に示すように、制御部４は、第１表示画面１３に、「モード切替」と表示するように、デュアルビューディスプレイ１を制御する。例えば、仮に、操作部２が、複数のボタンで構成されている場合、操作部２のボタンのうち、この「モード切替」の表示に最も近いボタンが押された場合には、表示装置は、通常モードと入力文字保護モードとのいずれかに切り替る。
【００２４】
通常モードに切り替えられている場合、制御部４は、図４（ａ）に示すように、第１表示画面１３の表示部分１６に「ＯＦＦ」と表示する。そして、制御部４は、操作部２で受け付けた文字列Ａを第１表示画面するように、デュアルビューディスプレイ１を制御する。また、このように第１表示画面１３に文字列Ａを表示した場合に、制御部４は、図４（ｂ）に示すように、第１表示画面１３に表示される文字列Ａを、入力操作に応答して第２表示画面１４に表示するように、デュアルビューディスプレイ１を制御する。なお、第２表示画面１４に文字列Ａを表示するタイミングは、第１表示画面１３に文字列Ａを表示するタイミングと同時であってもよいし、そのタイミングの後であってもよい。
【００２５】
一方、入力文字保護モードに切り替えられている場合、制御部４は、図４（ｃ）に示すように、第１表示画面１３の表示部分１６に「ＯＮ」と表示する。そして、制御部４は、操作部２で受け付けた文字列Ａを第１表示画面するように、デュアルビューディスプレイ１を制御する。また、このように第１表示画面１３に文字列Ａを表示した場合に、制御部４は、図４（ｄ）に示すように、第１表示画面１３に表示される文字列Ａとは異なった文字列Ｂを、入力操作に応答して第２表示画面１４に表示するように、デュアルビューディスプレイ１を制御する。なお、第２表示画面１４に文字列Ｂを表示するタイミングは、第１表示画面１３に文字列Ａを表示するタイミングと同時であってもよいし、そのタイミングの後であってもよい。
【００２６】
図５は、文字列Ａが入力され始めた時のデュアルビューディスプレイ１での表示を示す図である。図５（ａ）および図５（ｃ）は、第１表示画面１３における表示を示す図であり、図５（ｂ）および図５（ｄ）は、第２表示画面１４における表示を示す図である。操作部２が、文字列Ａの最初の一文字「き」の入力操作を受け付けると、制御部４は、図５（ａ）に示すように、第１表示画面１３に、「き」を表示させる。一方、制御部４は、図５（ｂ）に示すように、第２表示画面１４に、文字列Ｂの最初の一文字「こ」を表示させる。
【００２７】
それから、操作部２が、文字列Ａの２番目の一文字「ょ」の入力操作を受け付けると、制御部４は、図５（ｃ）に示すように、第１表示画面１３に、「ょ」を表示する。一方、制御部４は、図５（ｄ）に示すように、第２表示画面１４に、文字列Ｂの２番目の一文字「の」を表示する。以降、同様の動作を繰り返す。このように、制御部４は、操作部２に対して一文字を入力する操作が行われるたびに、第１および第２表示画面１３，１４に一文字表示するように、デュアルビューディスプレイ１を制御する。
【００２８】
検出部５は、ユーザからの表示切替操作を検出する。検出部５には、例えば、ユーザが携帯電話を振ったときに携帯電話に生じる加速度を検出する加速度センサが該当する。検出部５が、ユーザからの表示切替操作を検出する前には、制御部４は、図４（ｃ）に示すような表示を、第１表示画面１３に表示させ、図４（ｄ）に示すような表示を、第２表示画面１４に表示させる。制御部４は、検出部５がユーザからの表示切替操作を検出した場合には、図４（ｃ）において第１表示画面１３に表示されている文字列Ａを、図４（ｄ）に示すように、第２表示画面１４に表示されている文字列Ｂに切り替えるように、デュアルビューディスプレイ１を制御する。これにより、ユーザが表示切替操作をすれば、第１表示画面１３に表示されている文字列Ａが、第２表示画面１４に表示されている文字列Ｂに切り替えられる。
【００２９】
次に、以上のような表示装置を備える携帯電話の動作について、図６のフローチャートを用いて説明する。まず、制御部４は、操作部２で、メール作成を開始する操作が受け付けられたか否かを判定する（ステップＳ１）。ステップＳ１で、制御部４が、操作部２で、メール作成を開始する操作が受け付けられなかったと判定した場合には、携帯電話は処理を終了する。ステップＳ１で、制御部４が、操作部２で、メール作成を開始する操作が受け付けられたと判定した場合には、ユーザにより、操作部２に対して文字列を入力する操作が行われる（ステップＳ２）。
【００３０】
ステップＳ２において、操作部２で、一文字を入力する操作が行われるごとに、制御部４は、操作部２での操作によりこれまで入力された文字列Ａの文字数が、記憶部３に記憶された文字列Ｂの文字数以上か否かを判定する（ステップＳ３）。
【００３１】
制御部４が、文字列Ａの文字数が、文字列Ｂの文字数よりも少ない場合には、制御部４は、第１表示画面１３に、操作部２に対する入力操作に応じた一文字を表示するとともに、第２表示画面１４に、記憶部３に記憶された文字列Ｂの最初または続きの一文字を表示する（ステップＳ４）。制御部４が、文字列Ａの文字数が、文字列Ｂの文字数以上であると判定した場合には、制御部４は、第１表示画面１３に、操作部２に対する入力操作に応じた一文字を表示するのに対し、第２表示画面１４に表示された文字列Ｂの最後の文字、または、文字列Ｂ全てを消去するように、デュアルビューディスプレイ１を制御する（ステップＳ５）。
【００３２】
ステップＳ４またはステップＳ５の後、制御部４は、操作部２で、メール作成を終了する操作が受け付けられたか否かを判定する（ステップＳ６）。ステップＳ６で、制御部４が、操作部２で、メール作成を終了する操作が受け付けられなかったと判定した場合には、携帯電話はステップＳ２に戻ってその処理を行う。ステップＳ６で、制御部４が、操作部２で、メール作成を終了する操作が受け付けられたと判定した場合には、携帯電話は処理を終了する。
【００３３】
以上のような本実施の形態に係る表示装置によれば、操作部２に対する入力操作に応じた文字列Ａが、ユーザが視認するための第１表示画面１３に表示される。一方、文字列Ａとは異なった文字列Ｂが、当該入力操作に応答して、第２表示画面１４に表示される。これにより、他人が第２表示画面１４を見ている場合には、その他人に、ユーザにより入力された文字列を見ていると思わせることができる。その結果、他人が、実際にユーザにより入力された文字列Ａを覗き見しようとするのを抑制することができる。
【００３４】
また、本実施の形態に係る表示装置によれば、操作部２において一文字を入力する操作が行われるたびに、第１および第２表示画面１３，１４に一文字表示される。これにより、他人が第２表示画面１４を見ている場合には、その他人に、ユーザにより入力された文字列を見ているとより自然に思わせることができる。その結果、他人が、実際にユーザにより入力された文字列Ａを覗き見しようとするのをより抑制することができる。
【００３５】
また、本実施の形態に係る表示装置によれば、ユーザが表示切替操作を行えば、第１表示画面１３に表示されている文字列Ａが、第２表示画面１４に表示されている文字列Ｂに切り替えられる。これにより、万が一、他人が、実際にユーザにより入力された文字列Ａを第１表示画面１３において見ようとした場合であっても、ユーザが表示切替操作を行うことにより、その他人に対して、第１表示画面１３においても、文字列Ｂを視認させることができる。その結果、他人に、ユーザが文字列Ｂを今まで入力していたように思わせることができる。
【００３６】
なお、本実施の形態では、図５に示したように、操作部２に対して一文字を入力する操作が行われるたびに、第２表示画面１４に文字列Ｂの一文字を表示した。しかし、これに限ったものではなく、例えば、文字列Ｂが短い場合には、操作部２に対して一文字を入力する操作が行われたときに、文字列Ｂ全てを第２表示画面１４に表示するものであってもよい。
【００３７】
＜変形例１＞
実施の形態１に係る表示装置では、第２表示画面１４において表示される文字列Ｂの内容は、予め記憶部３に記憶された定型文としての文字列Ｂを表示するものであった。変形例１に係る表示装置では、操作部２に入力された文字列Ａに応じて、第２表示画面１４において表示される文字列Ｂを変更することを目的とする。
【００３８】
変形例１に係る記憶部３は、入力されると想定される複数種類の文字列Ｃと、複数種類の文字列Ｂとを一対一で対応させている変換表を記憶している。記憶部３に記憶される変換表では、例えば、文字列Ｃの「今日」に、文字列Ｂの「明日」が対応している。同様に、文字列Ｃの「何時に」に、文字列Ｂの「どこへ」が対応しており、文字列Ｃの「出社する予定ですか？」に、文字列Ｂの「遊びに行きますか？」が対応している。
【００３９】
操作部２において、記憶部３に記憶された文字列Ｃと同じ文字列Ａが入力された場合には、制御部４は、その文字列Ｃに対応する文字列Ｂを、変換表から特定し、当該特定した文字列Ｂを第２表示画面１４に表示するように、デュアルビューディスプレイ１に表示させる。具体的には、文字列Ａとして「今日、何時に出社する予定ですか？」という文字列が操作部２において入力された場合には、「明日、どこへ遊びに行きますか？」という文字列が文字列Ｂとして第２表示画面１４に表示される。
【００４０】
以上のような、変形例１に係る表示装置によれば、操作部２において入力された文字列Ａを変換表に基づいて他の文字列（文字列Ｂ）に変換し、文字列Ｂを第２表示画面１４に表示する。これにより、同じ内容の文字列Ｂが第２表示画面１４に繰返し表示されるのを低減することができるので、他人が第２表示画面１４を見ている場合には、その他人に、ユーザにより入力された文字列を見ているとより自然に思わせることができる。その結果、他人が、実際にユーザにより入力された文字列Ａを覗き見しようとするのをより抑制することができる。
【００４１】
＜変形例２＞
実施の形態１に係る表示装置では、文字列Ａの文字数が、文字列Ｂの文字数以上になった場合には、ステップＳ５において、制御部４は、第２表示画面１４に表示された文字列Ｂの最後の文字、または、文字列Ｂ全てを消去した。それに対し、変形例２に係る表示装置では、文字列Ａの文字数が、文字列Ｂの文字数以上になった場合には、ステップＳ５において、複数種類の文字列Ｂを組み合わせて、第２表示画面１４に表示することを目的とする。
【００４２】
変形例２に係る記憶部３は、第２表示画面１４に表示される複数種類の文字列Ｂを記憶する。この変形例２では、文字列Ｂとして、「この休みはどこに行きました？」という文字列と、「こちらはずっと家にいました。」という文字列とが順に順序付けられて記憶部３に記憶されているものとする。制御部４は、操作部２に対する入力操作に応じた文字列Ａの文字数に応じて、複数種類の文字列Ｂを組み合わせて第２表示画面１４に表示するように、デュアルビューディスプレイ１を制御する。
【００４３】
このように構成された表示装置では、操作部２に文字列Ａが最初に入力されたときには、制御部４は、まず、「この休みはどこに行きました？」という文字列Ｂを第２表示画面１４に表示するようにデュアルビューディスプレイ１を制御する。そして、操作部２に入力された文字列Ａの文字数が、「この休みはどこに行きました？」という文字列Ｂの文字数を超えた場合には、制御部４は、その文字列Ｂの次の「こちらはずっと家にいました。」という文字列Ｂを第２表示画面１４に表示するようにデュアルビューディスプレイ１を制御する。
【００４４】
以上のような変形例２に係る表示装置によれば、操作部２において入力された文字列Ａの文字数に応じて、複数種類の文字列Ｂを組み合わせて第２表示画面１４に表示する。これにより、同じ内容の文字列Ｂが第２表示画面１４に繰返し表示されるのを低減することができるので、他人が第２表示画面１４を見ている場合には、その他人に、ユーザにより入力された文字列を見ているとより自然に思わせることができる。その結果、他人が、実際にユーザにより入力された文字列Ａを覗き見しようとするのをより抑制することができる。
【００４５】
＜実施の形態２＞
図７は、本発明の実施の形態に係る表示装置の構成を示すブロック図である。図７に示すように、本実施の形態に係る表示装置は、第１表示部３１と、第２表示部３２と、操作部３３と、記憶部３４と、制御部３５と、検出部３６とを備える。このうち、第１表示部３１、操作部３３、記憶部３４、制御部３５、および、検出部３６は、パソコンに設けられている。本実施の形態に係る操作部３３、記憶部３４、制御部３５、および、検出部３６の動作は、実施の形態１に係る操作部２、記憶部３、制御部４、および、検出部５の動作とそれぞれ同じである。
【００４６】
図８は、本発明の実施の形態に係る表示装置の構成を示す図である。パソコン５１は、画像をスクリーン５２に投写するためのプロジェクタ５３を備える。パソコン５１は、第１表示画面４１を有する第１表示部３１を備える。第２表示部３２に相当するプロジェクタ５３は、第１表示画面４１と離れて配置される第２表示画面に画像を投写する。第１表示画面４１は、ユーザに視認され、第２表示画面４２は、他人に視認される。
【００４７】
制御部３５は、通常モード時、および、入力文字保護モード時のいずれにおいても、操作部３３に対する入力操作に応じた文字列Ａが、第１表示画面４１での表示部分５４に表示されるように第１表示部３１を制御する。制御部３５は、操作部３３において所定の操作を受け付けた場合に、通常モードと、入力文字保護モードとを切り替える。
【００４８】
通常モード時には、本実施の形態に係る表示装置の制御部３５は、第１表示画面４１の表示内容を、第２表示画面４２にそのまま表示するように、プロジェクタ５３を制御する。その結果、制御部３５は、表示部分５４に対応する表示部分５５において、第１表示画面４１の表示部分５４で表示されている文字列Ａが、入力操作に応答して表示されるように、プロジェクタ５３を制御する。なお、表示部分５５に文字列Ａを表示するタイミングは、表示部分５４に文字列Ａを表示するタイミングと同時であってもよいし、そのタイミングの後であってもよい。
【００４９】
一方、入力文字保護モード時には、本実施の形態に係る表示装置の制御部３５は、実施の形態１と同様、文字列Ａとは異なった文字列Ｂが、入力操作に応答して第２表示画面４２の表示部分５５に表示されるように、プロジェクタ５３を制御する。これにより、表示部分５４には文字列Ａが表示され、その一方で、表示部分５５には文字列Ｂが表示される。なお、表示部分５５に文字列Ｂを表示するタイミングは、表示部分５４に文字列Ａを表示するタイミングと同時であってもよいし、そのタイミングの後であってもよい。また、第１表示画面４１のうち、表示部分５４以外の部分の表示と、第２表示画面４２のうち、表示部分５５以外の部分の表示とが同じになるように、制御部３５は、第１表示部３１およびプロジェクタ５３を制御する。
【００５０】
以上のような本実施の形態に係る表示装置によれば、入力文字保護モード時において、実施の形態１と同様、操作部３３に対する入力操作に応じた文字列Ａが、ユーザが視認している第１表示画面４１に表示される。そして、それと同時に、文字列Ａとは異なった文字列Ｂが当該入力操作に応答して、他人が視認している第２表示画面４２に表示される。本実施の形態に係る表示装置によれば、入力保護モードにおいて、ユーザが入力した文字列Ａを他人に見られる虞を回避することが期待できる。
【００５１】
例えば、会議等の人が集まるような場において、プロジェクタ５３を用いてパソコンの画面を投射している場合がある。このような場合に、使用者が文字列Ａを入力したときに、入力された文字列Ａがプロジェクタ５３を介してそのまま投射されると、その入力された文字列Ａが他人に見られる虞がある。しかしながら、本実施の形態に係る表示装置によれば、その虞を回避することが期待できる。
【００５２】
尚、本明細書においては、文字と文字列とを混在させて記載しているが、必ずしも文字が一文字で構成されるもの、あるいは、文字列が複数の文字から構成されるものと限定する必要はない。つまり、文字と文字列とが共に一文字から構成されるものであってもよいし、文字と文字列とが共に複数の文字から構成されるものであってもよい。
【図面の簡単な説明】
【００５３】
【図１】実施の形態１に係る表示装置の構成を示すブロック図である。
【図２】実施の形態１に係る表示装置の構成を示す断面図である。
【図３】実施の形態１に係る表示装置の動作を示す図である。
【図４】実施の形態１に係る表示装置の動作を示す図である。
【図５】実施の形態１に係る表示装置の動作を示す図である。
【図６】実施の形態１に係る表示装置の動作を示すフローチャートである。
【図７】実施の形態２に係る表示装置の構成を示すブロック図である。
【図８】実施の形態２に係る表示装置の構成を示す図である。
【符号の説明】
【００５４】
１  デュアルビューディスプレイ
２，３３  操作部
３，３４  記憶部
４，３５  制御部
５，３６  検出部
１１ａ，１１ｂ  画素
１３，４１  第１表示画面
１４，４２  第２表示画面
３１  第１表示部
３２  第２表示部
【図１】
2010152175.tif 000003
【図２】
2010152175.tif 000004
【図３】
2010152175.tif 000005
【図４】
2010152175.tif 000006
【図５】
2010152175.tif 000007
【図６】
2010152175.tif 000008
【図７】
2010152175.tif 000009
【図８】
2010152175.tif 000010